(57)【要約】【課題】二次電池の劣化を抑制できるようにする。【解決手段】温度調節装置は、電池容器２３を備えた二次電池２０の温度を調節する温調部材１１と、一対のエンドプレート４０を介して電池容器２３および温調部材１１を拘束する拘束部材４０〜４２を備える。さらに、拘束部材４０〜４２により拘束された電池容器２３と接触して配置され、電池容器２３の膨出変形に伴って弾性変形する弾性部材５１、５２を備える。【選択図】図２
2020136040.tif 000002
【特許請求の範囲】
【請求項１】
電池容器（２３）を備えた二次電池（２０）と、
前記二次電池の温度を調節する温調部材（１１）と、
前記電池容器および前記温調部材を両端側から挟むように配置された一対のエンドプレート（４０）を有し、一対の前記エンドプレートを介して前記電池容器および前記温調部材を拘束する拘束部材（４１、４２）と、
前記拘束部材により拘束された前記電池容器と接触して配置され、前記電池容器の膨出変形に伴って弾性変形する弾性部材（５０）と、を備えている温度調節装置。
【請求項２】
前記弾性部材は、第１の弾性係数を有する第１弾性部材（５０１）と、前記第１の弾性係数より弾性係数の大きな第２弾性係数を有する第２弾性部材（５０２）と、を有している請求項１に記載の温度調節装置。
【請求項３】
複数の前記二次電池を備え、
前記第１弾性部材および前記第２弾性部材は、複数の前記二次電池の前記電池容器の間に配置され、
前記第１弾性部材は、前記第２弾性部材よりも複数の前記二次電池のうち隣接する前記電池容器の対向する対向面の中央側に配置されている請求項２に記載の温度調節装置。
【請求項４】
複数の前記二次電池を備え、
複数の前記二次電池は、それぞれ第１側壁（３２１）と該第１側壁と対向する第２側壁（３２２）とを有する前記電池容器を備え、
前記電池容器の前記第２側壁の厚みが前記第１側壁よりも厚くなっており、
複数の前記二次電池は、前記電池容器の前記第２側壁同士が当接するよう配置されており、
前記弾性部材は、前記電池容器の前記第１側壁と接触して配置されている請求項１または２に記載の温度調節装置。
【請求項５】
複数の前記二次電池と、
複数の前記二次電池の前記電池容器の間に配置され、隣り合う前記二次電池の前記電池容器の間隔を保持するためのスペーサ（６０）と、を備え、
前記スペーサは、複数の前記二次電池のうち隣接する前記電池容器の対向する対向面の前記弾性部材よりも端部側に配置されている請求項１または２に記載の温度調節装置。
【請求項６】
複数の前記二次電池のうち前記電池容器が対向する方向の前記スペーサの長さは、前記電池容器の最大膨張量以上となっている請求項５に記載の温度調節装置。
【発明の詳細な説明】
【技術分野】
【０００１】
本発明は、二次電池の温度を調整する温度調整装置に関するものである。
【背景技術】
【０００２】
従来、特許文献１に記載された二次電池がある。この二次電池は、内部に電極板、電解液が収容された電池容器の周囲を取り巻き、該電池容器が内部のガス圧により外方に膨出変形することを抑制する膨張抑制部材を有している。この二次電池は、膨張抑制部材からの放熱により電池の熱を大気に放出可能となっている。
【先行技術文献】
【特許文献】
【０００３】
【特許文献１】特開２０１２−１２３９８３号公報
【発明の概要】
【発明が解決しようとする課題】
【０００４】
ところで、二次電池と、二次電池の温度を調節する温度調節部材と、二次電池と温度調節部材を拘束する拘束部材と、を備えた温度調節装置がある。このような装置では、二次電池の充電状態を表すＳＯＣ（Ｓｔａｔｅ  Ｏｆ  Ｃｈａｒｇｅ）の変化に伴い二次電池の電池容器が膨張および収縮するため、二次電池の拘束圧が変化する。
【０００５】
二次電池の拘束圧が所定の圧力よりも高くなると、電池内部の拡散抵抗が増加して劣化が進みやすいといった問題がある。また、二次電池の拘束圧が所定の圧力よりも低くなると、電池内部の濃度分布のバラツキが大きくなり、濃度分布の高い箇所で劣化が進みやすいといった問題もある。したがって、二次電池の拘束圧を所定の圧力範囲内に制御する必要がある。
【０００６】
上記特許文献１に記載された二次電池は、二次電池の拘束圧が所定の圧力範囲内に制御されるようになっておらず、二次電池の劣化を抑制するといったことはできない。
【０００７】
また、例えば、電気自動車等においては走行用モータに電力を供給する二次電池の急速充電への対応が求められるが、高温環境下および低温環境下で急速充電すると二次電池の劣化が促進されてしまうといった問題もある。
【０００８】
本発明は上記問題に鑑みたもので、二次電池の劣化を抑制できるようにすることを目的とする。
【課題を解決するための手段】
【０００９】
上記目的を達成するため、請求項１に記載の発明は、電池容器（２３）を備えた二次電池（２０）の温度を調節する温調部材（１１）を備えている。また、電池容器および温調部材を両端側から挟むように配置された一対のエンドプレート（４０）を有し、一対のエンドプレートを介して電池容器および温調部材を拘束する拘束部材（４１、４２）を備えている。また、拘束部材により拘束された電池容器と接触して配置され、電池容器の膨出変形に伴って弾性変形する弾性部材（５０）と、を備えている。
【００１０】
このような構成によれば、二次電池の温度を調節する温調部材を備えているので、高温環境下および低温環境下で二次電池を急速充電しても、二次電池の劣化を抑制することができる。
【００１１】
また、電池容器が膨出変形しても、弾性部材が弾性変形して電池容器の拘束圧を所定範囲内することが可能となるため、電池容器が膨出変形に伴う二次電池の劣化を抑制することもできる。
【００１２】
なお、各構成要素等に付された括弧付きの参照符号は、その構成要素等と後述する実施形態に記載の具体的な構成要素等との対応関係の一例を示すものである。
【図面の簡単な説明】
【００１３】
【図１】第１実施形態に係る温度調節装置のブロック図である。
【図２】第１実施形態に係る温度調節装置の上面図である。
【図３】図２中のIII−III断面図である。
【図４】電池容量低下率と拘束圧の関係を示した図である。
【図５】第２実施形態に係る温度調節装置の概略断面図であって、図３に相当する図である。
【図６】図５中のVI−VI断面図である。
【図７】第２実施形態に係る温度調節装置の二次電池の電池容器が膨出変形した状態の様子を示した図である。
【図８】第３実施形態に係る温度調節装置の概略断面図であって、図３に対応する図である。
【図９】第４実施形態に係る温度調節装置の概略断面図である。
【図１０】第５実施形態に係る温度調節装置の上面図である。
【図１１】図１０中のXI−XI断面図であって、図３に対応する図である。
【図１２】第６実施形態に係る二次電池の正面図である。
【図１３】図１２中のXIII−XIII断面図である。
【図１４】第６実施形態に係る温度調節装置の二次電池の膨張時の上面図である。
【発明を実施するための形態】
【００１４】
以下、本発明の実施形態について図面を参照しつつ説明する。なお、以下の各実施形態相互において、互いに同一もしくは均等である部分には、同一符号を付し、その説明を省略する。
【００１５】
（第１実施形態）
第１実施形態に係る温度調節装置について図１〜図４を用いて説明する。図１に示すように、温度調節装置１は、圧縮機８０、放熱器８１、膨張弁８２、温度調節部１０および冷媒配管８３を備えている。
【００１６】
圧縮機８０は、冷媒を圧縮して吐出する。圧縮機８０の回転数は、不図示の制御部によって制御される。放熱器８１は、圧縮機８０から吐出された冷媒を送風空気と熱交換させて放熱する。膨張弁８２は、放熱器８１から流出した冷媒を減圧膨張させる。温度調節部１０は、膨張弁８２によって減圧した冷媒と二次電池２０との熱交換により二次電池２０を冷却する。冷媒配管８３は、圧縮機８０、放熱器８１、膨張弁８２および温度調節部１０を巡回して流れる冷媒の流路を形成する。温度調節装置１は、圧縮機８０の回転数を変化させて温調部材１１の冷却能力を調節することが可能となっている。
【００１７】
図２〜図３に示すように、温度調節装置１は、さらに、複数の二次電池２０と、エンドプレート４０、ボルト４１、ナット４２、板バネ５１、熱伝導ゲル５２を備えている。なお、図２〜図３中の温度調節部１０は、図１に示した温度調節部１０と同じである。また、エンドプレート４０、ボルト４１およびナット４２は拘束部材に相当し、板バネ５１および熱伝導ゲル５２は弾性部材５０に相当する。
【００１８】
本実施形態の二次電池２０は、コバルト酸リチウム等を主活物質とする正極板と、リチウムイオンを吸蔵するカーボン等を主活物質とする負極板（いずれも図示せず）と、を有するリチウムイオン電池として構成されている。
【００１９】
二次電池２０は、電解液を含浸させてセパレータで仕切られた正極板および負極板を有している。二次電池２０は、これらの正極板および負極板を渦巻き状または積層構造にして角形の電池容器２３に収納した構造を成している。電池容器２３の上面には、正極板に接続された正極電極２１および負極板に接続された負極電極２２が配置されている。
【００２０】
温度調節部１０は、複数の二次電池２０の温度を調節する。温度調節部１０は、温調部材１１および冷媒配管１２を有している。冷媒配管１２は、図１に示した冷媒配管８３と接続されている。
【００２１】
温調部材１１は、アルミニウム等の金属を用いて構成されており、高い熱伝導性を有している。複数の二次電池２０と複数の温調部材１１は、温度調節装置１の左右方向に積層配置されている。
【００２２】
温調部材１１は、冷媒が流れる複数の冷媒流路１１０を有している。冷媒流路１１０は、温調部材１１の内部に形成され、冷媒配管１２と接続されている。冷媒流路１１０には、冷媒配管８３および冷媒配管１２を介して膨張弁８２によって減圧された低温の冷媒が流入するようになっている。冷媒流路１１０は、前後方向に対して交差する方向に蛇行しなから延びている。
【００２３】
複数の冷媒流路１１０に流入した冷媒と二次電池２０との熱交換により二次電池２０が冷却される。なお、複数の冷媒流路１１０に流入した冷媒は冷媒配管８３を介して圧縮機８０に吸入される。
【００２４】
エンドプレート４０は、板状を成しており、鉄等の金属によって構成されている。エンドプレート４０は、積層配置された二次電池２０および温調部材１１の両端部に配置されている。
【００２５】
エンドプレート４０の４隅には、それぞれボルト４１を挿通させるための穴部３００が設けられている。
【００２６】
積層配置された二次電池２０および温調部材１１の両端側にエンドプレート４０を配置した後、エンドプレート４０に設けられた穴部３００にボルト４１を挿通させ、ボルト４１の先端にナット４２を締め付ける。これにより、積層配置された二次電池２０および温調部材１１がエンドプレート４０、ボルト４１およびナット４２により拘束される。なお、作業者はボルト４１の先端にナット４２を締め付ける際に、二次電池２０および温調部材１１に所定範囲の拘束圧力がかかるようにする。
【００２７】
板バネ５１は、弾性変形する金属によって構成されている。具体的には、板バネ５１は、前後方向に対して交差する方向に蛇行しなから延びる波型形状を成している。
【００２８】
板バネ５１は、温調部材１１の上下方向の上端部と下端部にそれぞれ配置されている。板バネ５１は、温調部材１１を挟むように配置された２つの二次電池２０とそれぞれ当接するよう配置されている。
【００２９】
熱伝導ゲル５２は、シート状を成している。熱伝導ゲル５２は、例えば、シリコンゲルシートを用いることができる。熱伝導ゲル５２は、温調部材１１における二次電池２０と対向する側の両面にそれぞれ配置されている。熱伝導ゲル５２は、二次電池２０の電池容器２３が膨出変形を繰り返しても、弾性変形して温調部材１１と二次電池２０の電池容器２３に密着して二次電池２０の熱を温調部材１１に伝熱させる。
【００３０】
図４に、電池容量低下率と拘束圧の関係を示す。二次電池の充電状態を表すＳＯＣの変化に伴い二次電池２０の電池容器２３が膨張し、電池容器２３の拘束圧が所定の圧力よりも高くなると、電池内部の拡散抵抗が増加して電池容量低下率が大きくなる。このため、二次電池２０の劣化が進みやすくなる。
【００３１】
一方で、二次電池２０の電池容器２３の拘束圧が所定の圧力よりも低くなると、電池容器２３の内部の濃度分布のバラツキが大きくなり電池容量低下率が大きくなる。この際、濃度分布の高い箇所で劣化が進みやすくなる。
【００３２】
したがって、二次電池２０の拘束圧を所定の圧力範囲内に制御する必要がある。例えば、拘束圧を所定の圧力範囲内に制御して電池容量低下率を５％程度に抑えるといったことが必要となる。
【００３３】
本実施形態の温度調節装置１は、板バネ５１および熱伝導ゲル５２により構成される弾性部材５０を備えており、この弾性部材５０により、二次電池２０の電池容器２３の膨出変形に伴う拘束圧の変化が低減される。
【００３４】
以上、説明したように、本実施形態の温度調節装置１は、電池容器２３を備えた二次電池２０の温度を調節する温調部材１１を備えている。また、電池容器２３および温調部材１１を両端側から挟むように配置された一対のエンドプレート４０を有し、一対のエンドプレート４０を介して電池容器２３および温調部材１１を拘束する拘束部材を備えている。また、拘束部材により拘束された電池容器２３と接触して配置され、電池容器２３の膨出変形に伴って弾性変形する弾性部材５０と、を備えている。
【００３５】
このような構成によれば、二次電池２０の温度を調節する温調部材１１を備えているので、高温環境下および低温環境下で二次電池を急速充電しても、二次電池の劣化を抑制することができる。
【００３６】
また、電池容器２３が膨出変形しても、弾性部材５０が弾性変形して電池容器２３の拘束圧を所定範囲内することが可能となるため、電池容器２３の膨出変形に伴う二次電池の劣化を抑制することもできる。
【００３７】
（第２実施形態）
第２実施形態に係る温度調節装置について図５〜図７を用いて説明する。図５〜図６に示すように、本実施形態の温度調節装置１は、２つの温調部材１１を有している。２つの温調部材１１は、２つの二次電池２０の電池容器２３の間に上下方向に間隔を空けて並んで配置されている。なお、図５〜図６に示してないが、本実施形態の温度調節装置１は、上記第１実施形態と同様に二次電池２０の電池容器２３および複数の温調部材１１がエンドプレート４０、ボルト４１およびナット４２によって拘束されている。
【００３８】
本実施形態の温度調節装置１は、弾性部材５０として、第１の弾性係数を有する第１弾性部材５０１および第１の弾性係数より大きな第２弾性係数を有する第２弾性部材５０２を有している。第１、第２弾性部材５０１、５０２は、それぞれ板バネによって構成されている。
【００３９】
そして、２つの第１弾性部材５０１は、２つの第２弾性部材５０２よりも電池容器２３と接触する一面の上下方向の中央側に配置されている。
【００４０】
また、上下方向上側に配置された温調部材１１と二次電池２０の電池容器２３の間には、熱伝導ゲル５２が配置されている。上下方向下側に配置された温調部材１１と二次電池２０の電池容器２３の間にも、熱伝導ゲル５２が配置されている。
【００４１】
図７に示すように、第１弾性部材５０１と第２弾性部材５０２の両端側に配置された二次電池２０の各電池容器２３が膨出変形する際に、各電池容器２３の対向面の中央部が各電池容器２３の対向面の端部よりも大きく変形する。
【００４２】
本実施形態の温度調節装置１は、第１の弾性係数を有する第１弾性部材５０１と、第１の弾性係数より弾性係数の大きな第２弾性係数を有する第２弾性部材５０２と、を有している。そして、第１弾性部材５０１は、第２弾性部材５０２よりもの二次電池２０の電池容器２３の対向面の中央側に配置されている。すなわち、二次電池２０の電池容器２３の対向面の中央側に弾性係数が小さく変形しやすい第１弾性部材５０１が配置されている。
【００４３】
本実施形態では、上記第１実施形態と共通の構成から奏される同様の効果を上記第１実施形態と同様に得ることができる。
【００４４】
また、弾性部材５０は、第１の弾性係数を有する第１弾性部材５０１と、第１の弾性係数より弾性係数の大きな第２弾性係数を有する第２弾性部材５０２と、を有している。
【００４５】
このように、弾性係数の異なる第１弾性部材５０１および第２弾性部材５０２を配置することで、電池容器２３の部位に合った拘束圧の制御が可能である。
【００４６】
また、温度調節装置１は、複数の二次電池２０を備えている。また、第１弾性部材５０１および第２弾性部材５０２は、複数の二次電池２０の電池容器２３の間に配置され、第１弾性部材５０１は、第２弾性部材５０２よりも複数の二次電池２０の電池容器２３の対向面の中央側に配置されている。
【００４７】
したがって、膨出量の大きな電池容器２３の対向面の中央側に第２弾性部材５０２より弾性係数の小さな第１弾性部材５０１が配置されるので、二次電池２０の電池容器２３が膨出変形した際の拘束圧の上昇を低減することができる。
【００４８】
（第３実施形態）
第３実施形態に係る温度調節装置について図８を用いて説明する。上記第１実施形態の温度調節装置１は、冷媒が流れる冷媒配管１２と、複数の冷媒流路１１０を有する温調部材１１を備えていたが、本実施形態の温度調節装置１は、図８に示すように、冷媒が流れる冷媒配管１２と、冷媒配管１２を流れる冷媒の熱を放熱する伝熱板１３を備えている。
【００４９】
冷媒配管１２は、複数の二次電池２０の電池容器２３の底面より下方に配置されている。
冷媒配管１２は、図１に示した冷媒配管８３と接続されている。冷媒配管１２には、冷媒配管８３を介して膨張弁８２によって減圧された低温の冷媒が流入するようになっている。
【００５０】
伝熱板１３は、アルミニウム等の金属を用いて構成されている。伝熱板１３は、断面Ｌ字形状の板状部材によって構成されている。伝熱板１３は、二次電池２０の電池容器２３の底面と１つの側面と接触するとともに冷媒配管１２と接触するよう配置されている。
【００５１】
二次電池２０の熱が伝熱板１３に伝達して冷媒配管１２を流れる冷媒との熱交換により放熱する。
【００５２】
また、本実施形態の弾性部材５０は、複数の熱伝導ゲル５４を有している。伝熱板１３と、伝熱板１３と隣接する二次電池２０の間には、熱伝導ゲル５６が配置されている。
【００５３】
熱伝導ゲル５２は、二次電池２０の電池容器２３が膨出変形を繰り返しても、弾性変形して温調部材１１と二次電池２０の電池容器２３に密着して二次電池２０の熱を温調部材１１に伝熱させる。
【００５４】
本実施形態では、上記第１実施形態と共通の構成から奏される同様の効果を上記第１実施形態と同様に得ることができる。
【００５５】
なお、本実施形態の伝熱板１３は板状を成しているが、例えば、伝熱板１３に空気との接触面積を増大させるための放熱フィンを形成してもよい。
【００５６】
（第４実施形態）
第４実施形態に係る温度調節装置について図９を用いて説明する。本実施形態の温調部材１１は、図９に示すように、冷媒が流れるホース部材５５と冷媒配管１２と、を備えている。ホース部材５５は、シリコンを主成分とするシリコンホースによって構成されている。
【００５７】
また、ホース部材５５と、このホース部材５５の両側に配置された２つの二次電池２０との間には、それぞれ熱伝導ゲル５６が配置されている。
【００５８】
ホース部材５５は、図１に示した冷媒配管８３と接続されている。ホース部材５５には、冷媒配管８３を介して膨張弁８２によって減圧された低温の冷媒が流入するようになっている。
【００５９】
ホース部材５５および２つの熱伝導ゲル５６は、二次電池２０の電池容器２３の膨出変形に伴って弾性変形する弾性部材５０として機能する。
【００６０】
二次電池２０の熱が熱伝導ゲル５６およびホース部材５５に伝達して冷媒配管１２を流れる冷媒との熱交換により放熱する。
【００６１】
本実施形態の温度調節装置１は、ホース部材５５および熱伝導ゲル５２により構成される弾性部材５０を備えており、この弾性部材５０により、二次電池２０の電池容器２３の膨出変形に伴う拘束圧の変化が低減される。
【００６２】
本実施形態では、上記第１実施形態と共通の構成から奏される同様の効果を上記第１実施形態と同様に得ることができる。
【００６３】
本実施形態では、シリコンホースによってホース部材５５を構成したが、例えば、シリコンホース以外の材質のものを用いてホース部材５５を構成しもよい。
【００６４】
（第５実施形態）
第５実施形態に係る温度調節装置について図１０〜図１１を用いて説明する。本実施形態の温度調節装置１は、上記第１実施形態の温度調節装置１と比較して、さらに、二次電池２０の電池容器２３の間隔を保持するためのスペーサ６０を備えた点が異なる。
【００６５】
温度調節装置１は、複数の二次電池２０を備えている。また、複数の二次電池２０の電池容器２３および温調部材１１は、一方向に交互に配置されている。
【００６６】
また、スペーサ６０は、複数の二次電池２０電池容器２３の間に配置され、隣り合う二次電池２０の電池容器２３の間隔を保持する。
【００６７】
複数の二次電池２０は、隣接する二次電池２０の電池容器２３の対向面と異なる面である上面に正極電極２１および負極電極２２を有している。
【００６８】
スペーサ６０は、隣接する二次電池２０の電池容器２３のうち各電池容器２３の対向する対向面の中央よりも上側の端部と下側の端部に配置されている。
【００６９】
すなわち、スペーサ６０は、隣接する複数の二次電池２０のうち各電池容器２３の対向する対向面の弾性部材５０よりも上側の端部と下側の端部に配置されている。
【００７０】
また、複数の二次電池２０のうち各電池容器２３が対向する方向のスペーサ６０の長さは、電池容器２３の最大膨張量以上となっている。
【００７１】
本実施形態では、上記第１実施形態と共通の構成から奏される同様の効果を上記第１実施形態と同様に得ることができる。
【００７２】
また、本実施形態の温度調節装置１は、複数の二次電池２０と、複数の二次電池２０の電池容器２３の間に配置され、隣り合う二次電池２０の電池容器２３の間隔を保持するためのスペーサ６０と、を備えている。
【００７３】
また、スペーサ６０は、複数の二次電池２０のうち隣接する各電池容器２３の対向する対向面の弾性部材５０よりも端部側に配置されている。
【００７４】
したがって、電池容器２３が膨出変形した際の二次電池２０の電池容器２３の間隔の変化を低減することができる。
【００７５】
また、複数の二次電池２０のうち各電池容器２３が対向する方向のスペーサ６０の長さが、電池容器２３の最大膨張量以上となっているので、電池容器２３が膨出変形した際の二次電池２０の電池容器２３の間隔の変化を十分に抑制することが可能である。
【００７６】
（第６実施形態）
第６実施形態に係る温度調節装置について図１２〜図１４を用いて説明する。本実施形態の二次電池２０は、図１２に示すような角形の電池容器２３を有している。電池容器２３の上部には、正極電極２１および負極電極２２が配置されている。
【００７７】
本実施形態の電池容器２３は、図１３に示すように、第１側壁３２１と該第１側壁３２１と対向する第２側壁３２２とを有している。また、第２側壁３２２の厚みが第１側壁３２１よりも厚くなっている。
【００７８】
収縮時には、図１３（ａ）に示すように、第１側壁３２１および第２側壁３２２は変形しない。しかし、膨張時には、図１３（ｂ）に示すように、板厚の厚い第２側壁３２２は変形せず、板厚の薄い第１側壁３２１が変形する。
【００７９】
本実施形態の温度調節装置１は、図１４に示すように、２つの電池容器２３が隣接して配置されている。そして、２つの二次電池２０は、電池容器２３の板厚の厚い第２側壁３２２同士が当接するよう配置されている。
【００８０】
なお、弾性部材としての板バネ５１および温調部材１１は、電池容器２３の板厚の薄い第１側壁３２１と接触して配置されている。
【００８１】
本実施形態では、上記第１実施形態と共通の構成から奏される同様の効果を上記第１実施形態と同様に得ることができる。
【００８２】
本実施形態の温度調節装置１は、電池容器２３の板厚の厚い第２側壁３２２同士が当接するよう配置されている。したがって、電池容器２３のうち膨張によって変形しやすい第１側壁３２１側にのみ温調部材１１を配置することができ、温度調節装置１の体格を小さくすることができる。また、温調部材１１の設置スペースを確保することもできる。
【００８３】
（他の実施形態）
（１）上記各実施形態の温度調節装置１は、圧縮機８０の回転数を変化させて温調部材１１の冷却能力を調節する例を示したが、例えば、二次電池２０を加熱するヒータを温調部材１１に備え、低温環境下においては、このヒータで二次電池２０を加熱するように構成してもよい。
【００８４】
（２）上記第１実施形態では、板バネ５１を弾性部材５０として備えたが、例えば、板バネ５１に代えて、スプリングバネを弾性部材５０として備えるようにしてもよい。
【００８５】
（３）上記第５実施形態では、複数の二次電池のうち隣接する電池容器の対向する対向面の弾性部材よりも上側の端部と下側の端部にスペーサ６０を配置した。これに対し、複数の二次電池のうち隣接する電池容器の対向する対向面の弾性部材よりも上側の端部と下側の端部のいずれか一方にスペーサ６０を配置してもよい。
【００８６】
なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【００８７】
（まとめ）
上記各実施形態の一部または全部で示された第１の観点によれば、温度調節装置は、電池容器を備えた二次電池の温度を調節する温調部材を備えている。また、電池容器および温調部材を両端側から挟むように配置された一対のエンドプレートを有し、一対のエンドプレートを介して電池容器および温調部材を拘束する拘束部材を備えている。また、拘束部材により拘束された電池容器と接触して配置され、電池容器の膨出変形に伴って弾性変形する弾性部材と、を備えている。
【００８８】
また、第２の観点によれば、弾性部材は、第１の弾性係数を有する第１弾性部材と、第１の弾性係数より弾性係数の大きな第２弾性係数を有する第２弾性部材と、を有している。
【００８９】
このように、弾性係数の異なる第１弾性部材および第２弾性部材を配置することで、電池容器の部位に合った拘束圧の制御が可能である。
【００９０】
また、第３の観点によれば、温度調節装置は、複数の二次電池を備え、第１弾性部材および第２弾性部材は、複数の二次電池の電池容器の間に配置されている。また、第１弾性部材は、第２弾性部材よりも複数の二次電池のうち隣接する電池容器の対向する対向面の中央側に配置されている。
【００９１】
すなわち、膨出量の大きな電池容器の対向面の中央側に第２弾性部材より弾性係数の小さな第１弾性部材が配置されるので、二次電池の電池容器が膨出変形した際の拘束圧の上昇を低減することができる。
【００９２】
また、第４の観点によれば、温度調節装置は、複数の二次電池を備えている。また、  複数の二次電池は、それぞれ第１側壁と該第１側壁と対向する第２側壁とを有する電池容器を備えている。また、電池容器の第２側壁の厚みが第１側壁よりも厚くなっており、複数の二次電池は、電池容器の第２側壁同士が当接するよう配置されており、弾性部材は、電池容器の第１側壁と接触して配置されている。
【００９３】
したがって、電池容器のうち膨張によって変形しやすい第１側壁側にのみ温調部材を配置することができ、温度調節装置の体格を小さくすることができる。また、温調部材の設置スペースを確保することもできる。
【００９４】
また、第５の観点によれば、温度調節装置は、複数の二次電池と、複数の二次電池の電池容器の間に配置され、隣り合う二次電池の電池容器の間隔を保持するためのスペーサと、を備えている。そして、スペーサは、複数の二次電池のうち隣接する電池容器の対向する対向面の弾性部材よりも端部側に配置されている。
【００９５】
したがって、電池容器が膨出変形した際の二次電池の電池容器の間隔の変化を低減することができる。
【００９６】
また、第６の観点によれば、複数の二次電池のうち電池容器が対向する方向のスペーサの長さは、電池容器の最大膨張量以上となっている。
【００９７】
このように、複数の二次電池のうち各電池容器が対向する方向のスペーサの長さが、電池容器の最大膨張量以上となっているので、電池容器が膨出変形した際の二次電池の電池容器の間隔の変化を十分に抑制することが可能である。
【符号の説明】
【００９８】
１    温度調節装置
１０  温度調節部
１１  温調部材
１２  冷媒配管
１３  伝熱版
２０  二次電池
２３  電池容器
４０  エンドプレート
４１  ボルト
４２  ナット
５０  弾性部材
５１  板バネ
５２、５４、５６  熱伝導ゲル
５５  ホース部材
６０  スペーサ
【図１】
2020136040.tif 000003
【図２】
2020136040.tif 000004
【図３】
2020136040.tif 000005
【図４】
2020136040.tif 000006
【図５】
2020136040.tif 000007
【図６】
2020136040.tif 000008
【図７】
2020136040.tif 000009
【図８】
2020136040.tif 000010
【図９】
2020136040.tif 000011
【図１０】
2020136040.tif 000012
【図１１】
2020136040.tif 000013
【図１２】
2020136040.tif 000014
【図１３】
2020136040.tif 000015
【図１４】
2020136040.tif 000016